(57)【要約】【課題】  アナログ映像信号を入力して表示を行う表示装置においても、色再現の精度を向上させることを目的とする。【解決手段】  調整用画像を要求し（Ｓ２０１）、得られた調整画像をＡ／Ｄ変換し（Ｓ２０２）、所望のＮ画素のデータを平均化する（Ｓ２０３）。得られたデータを比較する（Ｓ２０４）ことにより所望の範囲に入っているか否かを判断し（Ｓ２０５）、所定の範囲に入るまで処理を繰返す。【選択図】  図２
2006084533.tif 000002
【特許請求の範囲】
【請求項１】
特定の色再現範囲を持つアナログ映像信号を出力する画像出力機器に接続し、該画像出力機器より出力される該アナログ映像信号を入力し所定の処理を行った後に、該特定の色再現範囲を再現して表示を行う表示装置において、
前記画像出力機器に対して、少なくとも１つの階調を含む画像の出力を要求する手段、
前記画像出力機器より出力される表示画像信号のフォーマットを判別する画像フォーマット判別手段、
前記画像信号フォーマット判別手段の出力により前記表示画像信号の入力タイミングを発生する入力タイミング発生手段、
前記入力タイミング発生手段の出力クロックによりＡ／Ｄ変換を行うＡ／Ｄ変換手段、
前記Ａ／Ｄ変換後の表示信号から前記階調画像データを抽出する階調画像データ抽出手段、
前記階調画像データ抽出手段により抽出した値と所定の比較値とを比較する比較手段、
前記比較手段の出力に応じて表示信号の調整を行う調整手段、
を備えることを特徴とする表示装置。
【請求項２】
前記調整回路は、表示信号の調整を、前記アナログ状態の表示信号をディジタル信号に変換する前に行うものであることを特徴とする請求項１に記載の表示装置。
【請求項３】
前記調整回路は、表示信号の調整を、Ｒ、Ｇ、Ｂの各信号に対して独立して行うことを特徴とする請求項１に記載の表示装置。
【請求項４】
前記調整期間中には、前記調整用画像とは異なる画像を表示することを特徴とする請求項１に記載の表示装置。
【請求項５】
映像信号を出力する複数の画像出力機器に接続し、該画像出力機器より出力される該映像信号を入力し所定の処理を行った後に表示を行う表示装置において、
前記複数の画像出力機器より出力される表示信号の少なくとも一つを選択して表示する表示選択手段と、
前記画像出力機器に対して、少なくとも１つの階調を含む画像の出力を要求する手段、
前記画像出力機器より出力される表示画像信号のフォーマットを判別する画像フォーマット判別手段、
前記画像信号フォーマット判別手段の出力により前記表示画像信号の入力タイミングを発生する入力タイミング発生手段、
前記入力タイミング発生手段の出力クロックによりＡ／Ｄ変換を行うＡ／Ｄ変換手段、
前記Ａ／Ｄ変換後の表示信号から前記階調画像データを抽出する階調画像データ抽出手段、
前記階調画像データ抽出手段により抽出した値と所定の比較値とを比較する比較手段、
前記比較手段の出力に応じて表示信号の調整を行う調整手段、
前記表示選択手段の選択に応じて前記調整手段の特性を変更する手段を
を備えることを特徴とする表示装置。
【発明の詳細な説明】
【技術分野】
【０００１】
本発明は、表示装置に関し、特に、アナログ映像信号を出力する画像出力機器に接続し、該画像出力機器より出力される該アナログ映像信号を入力し表示を行う表示装置に関するものである。
【背景技術】
【０００２】
近年、インターネットショッピング等の普及により、インターネットの送り手側と受けて側の色を合わせる必要性が大きくなり、簡単に色を合わせるカラーマネージメントの手法が求められていた。
【０００３】
また、ＰＣ、プリンタ、デジタルカメラなどの普及に伴い、一般の消費者においても各機器間の色再現が統一される必要性が大きくなってきた。
【０００４】
そのため、マルチメディアシステム向けの色体系の標準規格として、ｓＲＧＢ規格が１９９９年にＩＥＣの国際規格（ＩＥＣ６１９９６−２−１）となった。
【０００５】
ｓＲＧＢとは、機器間の色再現の違いを統一するために、色彩、彩度、等を規定・統一した国際標準の色空間であり、現在、モニター、プリンター、デジカメ、スキャナー、ソフトウエア（ＯＳ、Ａｐｐｌｉｃａｔｉｏｎ）、ファイルフォーマットに採用されてきている（例えば、特許文献１参照）。
【０００６】
ｓＲＧＢ規格では、白およびＲＧＢ各色のディジタル値に対する色空間座標が定められている。
【０００７】
ＣＲＴ、ＬＣＤ、プラズマディスプレイ、プロジェクタ等の表示装置においても、ｓＲＧＢ規格に準拠した製品が開発されている。
【特許文献１】特開２００２−０７７６５２号公報
【発明の開示】
【発明が解決しようとする課題】
【０００８】
しかしながら、表示装置に画像信号を伝送するためのＩ／Ｆとしては未だアナログＩ／Ｆが主流であり、アナログ信号特有の問題のため、正確な色再現が困難であった。つまり、アナログ信号の場合は、信号の精度、ノイズや、伝送路における信号の歪や、映像信号をＡ／Ｄ変換する際のサンプリングのタイミングなどの影響のため、正確に信号のディジタル値を得ることが難しい。
【０００９】
信号に歪が生じていたり、サンプリングのタイミングがずれていたりすると、所望のディジタル値を得ることができない。
【００１０】
従って、色再現の精度には問題が残っていた。
【課題を解決するための手段】
【００１１】
本発明によれば、特定の色再現範囲を持つアナログ映像信号を出力する画像出力機器に接続し、該画像出力機器より出力される該アナログ映像信号を入力し所定の処理を行った後に、該特定の色再現範囲を再現して表示を行う表示装置において、
前記画像出力機器に対して、少なくとも１つの階調を含む画像の出力を要求する手段、
前記画像出力機器より出力される表示画像信号のフォーマットを判別する画像フォーマット判別手段、
前記画像信号フォーマット判別手段の出力により前記表示画像信号の入力タイミングを発生する入力タイミング発生手段、
前記入力タイミング発生手段の出力クロックによりＡ／Ｄ変換を行うＡ／Ｄ変換手段、
前記Ａ／Ｄ変換後の表示信号から前記階調画像データを抽出する階調画像データ抽出手段、
前記階調画像データ抽出手段により抽出した値と所定の比較値とを比較する比較手段、
前記比較手段の出力に応じて表示信号の調整を行う調整手段、
を備えることにより、アナログ映像信号を入力して表示を行う表示装置においても、色再現の精度を向上させることが可能となる。
【発明の効果】
【００１２】
本発明によれば、アナログ映像信号を入力して表示を行う表示装置においても、色再現の精度を向上させることが可能となる。
【発明を実施するための最良の形態】
【００１３】
以下、図面を用いて本発明の実施例を説明する。
【００１４】
（実施の形態１）
図１は本発明の一実施例に係る表示装置のブロック図を示す。
【００１５】
図１において、１０１はＰＣ（パーソナルコンピューター）、１０２は表示装置、１０３はアナログ入力Ｉ／Ｆ、１０４は増幅器、１０５はＡ／Ｄ変換器、１０６は信号処理部、１１２はメモリ、１０７はＤ／Ａ変換器、１０８は駆動回路、１０９はＬＣＤ、１１０は同期信号処理部、１１１は入力タイミング発生回路、１１３は出力タイミング発生回路、１１４は通信Ｉ／Ｆ、１１５は通信制御部、１１６は増幅率設定部、１１７は調整開始ＳＷ、１１８はＲＯＭ、１１９はＲＡＭ、１２０はＣＰＵである。
【００１６】
ＰＣ１０１と表示装置１０２は、映像信号伝送ライン１１９と通信制御伝送ライン１２０で接続されている。
【００１７】
ＰＣ１０１より出力されたアナログ映像信号は、映像信号伝送ライン１１９を介して表示装置１０２のアナログ入力Ｉ／Ｆ１０３より入力される。入力した映像信号は増幅部１０４にて適切な信号レベルに増幅されＡ／Ｄ変換器１０５にてディジタル表示信号に変換され、信号処理部１０６において、コントラスト、ブライト等の画質調整やガンマ変換、解像度変換などの処理を行う。信号処理後の信号はＤ／Ａ変換器１０７にてアナログ信号に変換した後、パネル駆動回路１０８にてＬＣＤ１０９に対応した信号と駆動タイミング信号に変換し、ＬＣＤ１０９を駆動する。
【００１８】
また、アナログ入力Ｉ／Ｆ１０３より入力された映像信号のうち水平／垂直同期信号は同期信号処理回路１１０に入力し、水平及び垂直の同期信号より入力映像信号の表示画像フォーマット（解像度、リフレッシュレート等）を判別し、その結果に基づいて、入力タイミング発生回路１１１にて入力映像信号の表示フォーマットに適したタイミング信号を発生しＡ／Ｄ変換器１０５や信号処理回路１０６に入力される。出力タイミング信号発生回路１１３ではＬＣＤ駆動に適切なクロック及びタイミング信号を発生し信号処理部１０６、Ｄ／Ａ変換器１０７、駆動回路１０８に印加される。
【００１９】
ＣＰＵ１２０は、ＲＯＭ１１８に記憶されたプログラムに従い、各種の処理部の設定を行うとともに、本発明の処理を行う。
【００２０】
ＲＡＭは、各種の処理に必要なデータ等を逐次記憶する。
【００２１】
次に、図２のフローチャートに従って、本実施の形態の処理方法について説明する。
【００２２】
表示装置１０２の色再現調整開始ＳＷ１１７を押すと、表示装置１０２の通信制御部１１５より通信Ｉ／Ｆ１１４を介して、画像出力機器であるＰＣ１０１に対して、調整用画像を出力するように要求を行う（Ｓ２０１）。
【００２３】
要求信号を受信したＰＣ１０１は、図３で示される調整画像３０１を出力する。調整画像３０１は、中心部３０２に白の表示（Ｒ，Ｇ，Ｂ）＝（２５５，２５５，２５５）を行い、その周辺３０３は黒（Ｒ，Ｇ，Ｂ）＝（０，０，０）である。ここで、各色は８ｂｉｔのデータであり、０から２５５までの値をとる。
【００２４】
次に、ＰＣ１０１より出力された調整画像をアナログ入力Ｉ／Ｆ１０３より入力し、Ａ／Ｄ変換を行い（Ｓ２０２）、白表示の部分３０２より画素信号を抽出し、白表示部分３０２内のＮ画素分の画像信号の平均化を行う（Ｓ２０３）。平均化することにより、伝送時に発生したノイズ成分の平滑化を行い、ノイズによる色再現精度の劣化を改善する。
【００２５】
平均化した値は、比較部により予め決められた値と比較されて（Ｓ２０４）、所定の誤差範囲（±１％）に入っているか確認する（Ｓ２０５）。
【００２６】
所定の範囲内に入っていれば、調整画像の出力要求を解除し、通常の映像信号の入力を行い表示する（Ｓ２０７）。
【００２７】
所定の範囲内に入っていない場合は、増幅率設定部１１６により信号増幅部１０４の増幅率を変えて（Ｓ２０６）、Ｓ２０２に戻り、再度比較を行う（Ｓ２０３〜２０５）。
【００２８】
以上のことを所定の誤差範囲に入るまで繰り返す。
【００２９】
以上の処理をＲＧＢの各信号に対して行い、ＲＧＢの各信号に対する増幅率を決定する。
【００３０】
本実施例では、表示信号の調整方法として増幅率を変える方法について説明したが、Ａ／Ｄコンバータの基準電圧を変える方法でもアナログ的に調整を行うことが可能である。
【００３１】
色再現調整開始ＳＷ１１７としては、表示装置１０２に取付けられた機械的なＳＷでも、表示画面上表示されたアイコン等をクリックする方法でもよい。
ＰＣと表示装置の通信手段は、ＵＳＢ  Ｉ／ＦやＩ２Ｃを使用したＤＤＣ等でもよい。
【００３２】
本実施の形態によれば、アナログ表示信号を入力する場合においても、色再現の精度を向上させることが可能となる。そのため、広く普及しているアナログＩ／Ｆを変更する必要が無いため、ディジタルＩ／Ｆを新たに設ける場合に比べて、ｓＲＧＢ対応等によるコストアップを少なくすることが可能となる。また、ｓＲＧＢ対応でないＰＣであっても従来通りアナログＩ／Ｆを介して接続できるため汎用性が大きい。
【００３３】
また、調整をディジタル信号に変換する前のアナログの状態で行うことにより、表示信号の精度を量子化誤差により劣化させる事無く調整ができるため、画質劣化を防ぐことが可能となる。
【００３４】
（実施の形態２）
本実施の形態では、表示信号の調整を行っている期間に、アナログＩ／Ｆ１０３より入力される画像とは異なる画像を表示する方法について説明する。
【００３５】
実施の形態１では、表示信号の調整を行っている期間は、ＰＣ１０１より入力される調整用像が表示されるため、視聴者にとっては、煩わしいという問題があった。
【００３６】
本実施の形態では、調整している期間は、調整画像以外の別の画像を表示するため、調整画像が表示されるという煩わしさが改善される。
【００３７】
本実施例を図４のフローチャートを用いて説明する。
【００３８】
調整開始ＳＷ１１７が押されると、現在入力されている１画面分の画像をメモリ１１２に記憶する（Ｓ４０１）。記憶が終了したら、信号処理部１０６より出力される表示信号を、Ａ／Ｄ変換器１０５の出力信号からメモリ１１２の出力信号に切り換える（Ｓ４０２）。これにより、メモリに記憶された画像がＬＣＤ１０９に表示される。
【００３９】
次に実施の形態１の図２のフロチャートで説明した調整ルーチンを実行する（Ｓ４０３）。調整が終了すると、信号処理部１０６から出力される信号を、メモリ１１２の出力信号から、Ａ／Ｄ変換器１０５の出力信号に切り換える（Ｓ４０４）。
【００４０】
以上により、調整期間中に煩わしい調整画面を表示する必要がなくなる。
【００４１】
本実施の形態では、メモリ１１２に記憶する画像として、入力Ｉ／Ｆ１０３より入力される信号を用いる例について示したが、ＲＯＭ１１８又はＲＡＭ１１９に記憶した画像をＣＰＵ１２０より信号処理部１０６を介して記憶する様にしてもよい。また、ＣＰＵに接続したＵＳＢ  Ｉ／Ｆ等の汎用Ｉ／Ｆ（不図示）を介していろいろな画像を入力することも可能であるし、ＣＰＵ１２０においてプログラムにより作成した画像を用いることも可能でなる。
【００４２】
（実施の形態３）
本実施の形態では、本発明の表示装置が複数の画像出力機器に接続された場合の処理方法について説明する。
【００４３】
図５は本実施の形態に係るブロック図である。
【００４４】
図１のブロック図に対して異なる点は、ＰＣ１０１に加えて、アナログ表示信号を出力するＰＣ５０１とディジタル表示信号を出力するＰＣ５０２が表示装置１０２に接続され、ＰＣ１０１とＰＣ５０１から出力される表示信号の何れかを選択して出力するセレクタ５０３およびＰＣ５０２より出力されるディジタル表示信号とＡ／Ｄ変換器１０５より出力されるディジタル信号の何れかを選択して出力するセレクタ５０４が追加されている点である。
【００４５】
また、セレクタ５０３はＰＣ１０１とＰＣ５０１とＰＣ５０２から出力される通信ラインをも切り換える。また、ＣＰＵ１２０は、セレクタ５０３およびセレクタ５０４にも接続され、ＣＰＵ１２０からの命令により接続の切換を行う。
次に、図６のフローチャートに従って、本実施の形態の処理方法について説明する。
【００４６】
調整開始ＳＷ１１７がＯＮされると、ＣＰＵ１２０はセレクタ５０３及びセレクタ５０４の状態から、何れの入力から表示信号が入力されているかを確認する（Ｓ６０１）。ＰＣ１０１よりアナログ表示信号が入力されている場合は、実施例１に示した調整ルーチンにより（Ｓ６０２）、増幅率Ａを決定しＲＡＭ１１９に記憶する（Ｓ６０３）。ＰＣ５０１よりアナログ表示信号が入力されている場合は（Ｓ６０４）、前記調整ルーチンにより（Ｓ６０５）、増幅率Ｂを決定しＲＡＭ１１９に記憶する（Ｓ６０６）。ＰＣ５０２よりディジタル表示信号が入力されている場合は（Ｓ６０７）、調整ルーチンを実行しない。以上により調整作業が終了する。
【００４７】
次に、表示を行う場合の処理方法について、図７のフローチャートに従って説明する。
【００４８】
ＣＰＵ１２０はセレクタ５０３及びセレクタ５０４の状態よりＰＣ１０１よりアナログ表示信号が入力されている場合は（Ｓ７０１）、ＲＡＭ１１９より増幅率Ａを読出し増幅率設定部１６に設定を行う（Ｓ７０２）。ＰＣ５０１よりアナログ表示信号が入力されている場合は（Ｓ７０３）、ＲＡＭ１１９より増幅率Ｂを読出し増幅率設定部１６に設定を行う（Ｓ７０４）。ＰＣ５０２よりディジタル表示信号が入力されている場合は（Ｓ７０５）、増幅率の設定は行わない。
以上により、複数の画像出力機器に接続した場合においても、入力の切り換えに同期して増幅率の設定を切り換えることにより、それぞれの機器に最適な調整を行い表示することが可能となり、精度の高い色再現を実現することが可能となった。
【図面の簡単な説明】
【００４９】
【図１】実施の形態１に係る表示装置のブロック図。
【図２】実施の形態１に係るフローチャート。
【図３】調整用画像例。
【図４】実施の形態２に係るフローチャート。
【図５】実施の形態３に係る表示装置のブロック図。
【図６】実施の形態３に係るフローチャート。
【図７】実施の形態３に係るフローチャート。
【符号の説明】
【００５０】
１０１  パーソナルコンピューター
１０２  表示装置
１０３  アナログ入力Ｉ／Ｆ
１０４  増幅器
１０５  Ａ／Ｄ変換器
１０６  信号処理部
１０７  Ｄ／Ａコンバーター
１０８  駆動回路
１０９  ＬＣＤ
１１０  同期信号処理回路
１１１  入力タイミング信号発生回路
１１２  メモリ
１１３  出力タイミング信号発生回路
１１４  通信Ｉ／Ｆ
１１５  通信制御部
１１６  増幅率設定部
１１７  調整開始スイッチ
１１８  ＲＯＭ
１１９  ＲＡＭ
１２０  ＣＰＵ
【図１】
2006084533.tif 000003
【図２】
2006084533.tif 000004
【図３】
2006084533.tif 000005
【図４】
2006084533.tif 000006
【図５】
2006084533.tif 000007
【図６】
2006084533.tif 000008
【図７】
2006084533.tif 000009